【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
フォーカス、ズーム、アイリス、エクステンダーの各レンズ機能をサーボコントロール可能なテレビレンズにおいて、各レンズ機能のサーボコントロール時に発生する制限事項のうち少なくとも１つの制限値を変更する制限値変更手段を有することを特徴とするテレビレンズ。
【請求項２】
前記制限事項は前記レンズ機能のサーボコントロール時に発生する音であることを特徴とする請求項１に記載のテレビレンズ。
【請求項３】
前記制限値変更手段は制限音量変更手段であることを特徴とする請求項２に記載のテレビレンズ。
【請求項４】
前記制限事項は前記レンズ機能への供給電圧であることを特徴とする請求項１に記載のテレビレンズ。
【請求項５】
選択されたいずれの供給電圧においても、該供給電圧をそのままサーボコントロールに使用可能な制御装置を備えたことを特徴とする請求項４に記載のテレビレンズ。
【請求項６】
前記制限値変更手段は制限電圧変更手段であることを特徴とする請求項４又は５に記載のテレビレンズ。
【請求項７】
さらに前記供給電圧の自動判別手段を有することを特徴とする請求項４乃至６に記載のテレビレンズ。
【請求項８】
前記制限事項は前記レンズ機能への供給電流であることを特徴とする請求項１に記載のテレビレンズ。
【請求項９】
前記制限値変更手段は制限電流変更手段であることを特徴とする請求項８に記載のテレビレンズ。
【請求項１０】
さらに前記供給電流の自動判別手段を有することを特徴とする請求項８又は９に記載のテレビレンズ。
【請求項１１】
選択された供給電流に応じて駆動系の減速比を変更する減速比変更手段を備えたことを特徴とする請求項８乃至１０に記載のテレビレンズ。
【請求項１２】
前記制限事項は前記レンズ機能への供給電力であることを特徴とする請求項１に記載のテレビレンズ。
【請求項１３】
前記制限値変更手段は制限電力変更手段であることを特徴とする請求項１２に記載のテレビレンズ。
【請求項１４】
さらに前記供給電力の自動判別手段を有することを特徴とする請求項１２又は１３に記載のテレビレンズ。
【請求項１５】
選択された供給電力に応じて駆動系の減速比を変更する減速比変更手段を備えたことを特徴とする請求項１２乃至１４に記載のテレビレンズ。
【請求項１６】
操作中に限り前記制限値を異ならせるモーメンタリー操作手段を有することを特徴とする請求項１乃至１５に記載のテレビレンズ。
【手続補正２】
【補正対象書類名】明細書
【補正対象項目名】００１１
【補正方法】変更
【補正の内容】
【００１１】
一部に供給される電源電圧に応じて作動スピードを一定にするものもあるが、これは低い供給電圧値を作動スピードの基準にするもので、高い電圧が供給された場合、それ尾を有効利用するものではなかった。
【手続補正３】
【補正対象書類名】明細書
【補正対象項目名】００１４
【補正方法】変更
【補正の内容】
【００１４】
【課題を解決するための手段】
請求項１の発明のテレビレンズは、フォーカス、ズーム、アイリス、エクステンダーの各レンズ機能をサーボコントロール可能なテレビレンズにおいて、各レンズ機能のサーボコントロール時に発生する制限事項のうち少なくとも１つの制限値を変更する制限値変更手段を有することを特徴としている。
【手続補正４】
【補正対象書類名】明細書
【補正対象項目名】００１６
【補正方法】変更
【補正の内容】
【００１６】
請求項２の発明のテレビレンズは請求項１の発明において、前記制限事項は前記レンズ機能のサーボコントロール時に発生する音であることを特徴としている。
【手続補正５】
【補正対象書類名】明細書
【補正対象項目名】００１７
【補正方法】変更
【補正の内容】
【００１７】
請求項３の発明のテレビレンズは請求項２の発明において、前記制限値変更手段は制限音量変更手段であることを特徴としている。
【手続補正６】
【補正対象書類名】明細書
【補正対象項目名】００１８
【補正方法】変更
【補正の内容】
【００１８】
請求項４の発明のテレビレンズは請求項１の発明において、前記制限事項は前記レンズ機能への供給電圧であることを特徴としている。
【手続補正７】
【補正対象書類名】明細書
【補正対象項目名】００１９
【補正方法】変更
【補正の内容】
【００１９】
請求項５の発明のテレビレンズは請求項４の発明において、選択されたいずれの供給電圧においても、該供給電圧をそのままサーボコントロールに使用可能な制御装置を備えたことを特徴としている。
【手続補正８】
【補正対象書類名】明細書
【補正対象項目名】００２０
【補正方法】変更
【補正の内容】
【００２０】
請求項６の発明のテレビレンズは請求項４又は５の発明において、前記制限値変更手段は制限電圧変更手段であることを特徴としている。
【手続補正９】
【補正対象書類名】明細書
【補正対象項目名】００２１
【補正方法】変更
【補正の内容】
【００２１】
請求項７の発明のテレビレンズは請求項４乃至６に記載の発明において、さらに前記供給電圧の自動判別手段を有することを特徴とする請求項４乃至６に記載のテレビレンズ。
【手続補正１０】
【補正対象書類名】明細書
【補正対象項目名】００２２
【補正方法】変更
【補正の内容】
【００２２】
請求項８の発明のテレビレンズは請求項１に記載の発明において、前記制限事項は前記レンズ機能への供給電流であることを特徴としている。
【手続補正１１】
【補正対象書類名】明細書
【補正対象項目名】００２３
【補正方法】変更
【補正の内容】
【００２３】
請求項９の発明のテレビレンズは請求項８に記載の発明において、前記制限値変更手段は制限電流変更手段であることを特徴としている。
【手続補正１２】
【補正対象書類名】明細書
【補正対象項目名】００２４
【補正方法】変更
【補正の内容】
【００２４】
請求項１０の発明のテレビレンズは請求項８又は９に記載の発明において、さらに前記供給電流の自動判別手段を有することを特徴としている。
【手続補正１３】
【補正対象書類名】明細書
【補正対象項目名】００２５
【補正方法】変更
【補正の内容】
【００２５】
請求項１１の発明のテレビレンズは請求項８乃至１０に記載の発明において、選択された供給電流に応じて駆動系の減速比を変更する減速比変更手段を備えたことを特徴としている。
【手続補正１４】
【補正対象書類名】明細書
【補正対象項目名】００２６
【補正方法】変更
【補正の内容】
【００２６】
請求項１２の発明のテレビレンズは請求項１に記載の発明において、前記制限事項は前記レンズ機能への供給電力であることを特徴としている。
【手続補正１５】
【補正対象書類名】明細書
【補正対象項目名】００２７
【補正方法】変更
【補正の内容】
【００２７】
請求項１３の発明のテレビレンズは請求項１２に記載の発明において、前記制限値変更手段は制限電力変更手段であることを特徴とする請求項１２に記載のテレビレンズ。
【手続補正１６】
【補正対象書類名】明細書
【補正対象項目名】００２８
【補正方法】変更
【補正の内容】
【００２８】
請求項１４の発明のテレビレンズは請求項１２または１３に記載の発明において、さらに前記供給電力の自動判別手段を有することを特徴としている。
【手続補正１７】
【補正対象書類名】明細書
【補正対象項目名】００２９
【補正方法】変更
【補正の内容】
【００２９】
請求項１５の発明のテレビレンズは請求項１２乃至１４に記載の発明において、選択された供給電力に応じて駆動系の減速比を変更する減速比変更手段を備えたことを特徴としている。
【手続補正１８】
【補正対象書類名】明細書
【補正対象項目名】００３０
【補正方法】変更
【補正の内容】
【００３０】
請求項１６の発明のテレビレンズは請求項１乃至１５に記載の発明において、操作中に限り前記制限値を異ならせるモーメンタリー操作手段を有することを特徴としている。
【手続補正１９】
【補正対象書類名】明細書
【補正対象項目名】００３６
【補正方法】変更
【補正の内容】
【００３６】
図２５はその構成を表す図であり、デマンドからの指令電圧をスピード選択部８で可変可能にしている。